(57)【要約】【課題】スライドレール装置において、戸枠の全開口幅の採寸誤差に関係なく、常に戸枠との間に隙間なくスライドレール体を取り付けて引戸を吊設し、引戸周りの美的外観性を高める。【解決手段】  スライドレール体ｒのアウターレール１０は、その両端に出し入れ可能にアジャストピース２０を嵌合し、アジャストピースの出し入れ長さに応じて全長を伸長自在に構成する。引戸Ｄの吊設時、アウターレールの長さが、事前に採寸した戸枠Ｗの全開口幅寸法より短いために、スライドレール体の端部と戸枠間に隙間があくと、アジャストピースを、アウターレールの端部から全長が戸枠の全開口幅寸法と一致するアジャスト位置まで引き出し、スライドレール体を全開口幅寸法にアジャストさせて、そのアジャスト位置でアジャストピースを止めねじ２１で固定する。【選択図】          図１
2005146717.tif 000002
【特許請求の範囲】
【請求項１】
戸枠の天井側に固定するアウターレールに対し引戸上に取り付けるインナーレールを、リテーナで保持した多数のボールを介してスライド自在に係合させた金属製のスライドレール体を備え、該スライドレール体を介して引戸を開閉方向へ移動自在に吊設するスライドレール装置において、
前記スライドレール体の前記アウターレールは、その一端又は両端に出し入れ可能にアジャストピースを嵌合し、該アジャストピースの出し入れ長さに応じて全長を伸長自在に構成する一方、引戸の吊設時は、全長が前記戸枠の全開口幅寸法と一致するアジャスト位置で前記アジャストピースを固定手段で固定してなることを特徴とする、スライドレール装置。
【請求項２】
前記アジャストピースは、前記アウターレールの一端又は両端に嵌合したとき、そのアウターレールの端面に当てて、それ以上の入り込みを規制する所定厚さの鍔部を有することを特徴とする、請求項１に記載のスライドレール装置。
【発明の詳細な説明】
【技術分野】
【０００１】
本発明は、金属製のスライドレール体を用いて引戸を開閉方向へ移動自在に吊設する上吊り引戸用のスライドレール装置に関する。
【背景技術】
【０００２】
最近、上吊り引戸用のスライドレール装置では、アウターレールに対しインナーレールを、リテーナで保持した多数のボールを介しスライド自在に係合させた構造の薄型なスライドレール体が使用されている。
【０００３】
この種のスライドレール装置は、スライドレール体として、アウターレールの長さを事前に測定した戸枠の全開口幅寸法（引戸開口部の幅寸法）に合わせたものを使用し、引戸の吊設時、インナーレール側を引戸の上端面に固着してスライドレール体を引戸に取り付け、図７に示すように、アウターレール１を戸枠２の天井側の横枠材２ａに固定することにより、引戸３を、インナーレールを介して開閉方向に移動自在に戸枠２に組み付けている。
【発明の開示】
【発明が解決しようとする課題】
【０００４】
ところが、一般に、引戸３の組付現場では、アウターレール１は金属製ゆえに、これを組付現場で適宜に切断して簡単には長さ調節できないため、事前に戸枠２の全開口幅寸法を採寸するときに、その寸法は若干余裕をもたせて短めに寸法出しされるという事情がある。そのため、従来の上吊り引戸用スライドレール装置では、引戸の組付け時に、採寸した戸枠２の全開口幅寸法に合わせて作製したスライドレール体のアウターレール１を天井側の横枠材２ａに取り付けたき、アウターレール１の端部と戸枠２の縦枠材２ｂとの間に、図示のような隙間ｄがあいてしまう。その結果、引戸３の組付け構造に不具合があるが如き外観を呈し、それだけ引戸周りの見栄えが良くないという課題があった。
【０００５】
そこで、本発明の目的は、上述したスライドレール装置において、戸枠の全開口幅の採寸誤差に関係なく、常に戸枠との間に隙間なくスライドレール体を取り付けて引戸を吊設し、引戸周りの美的外観性を高めることにある。
【課題を解決するための手段】
【０００６】
上記した発明の目的を達成すべく、請求項１に記載の発明は、たとえば以下に示す図示実施の形態のとおり、戸枠Ｗの天井側に固定するアウターレール１０に対し引戸Ｄ上に取り付けるインナーレール１１を、リテーナ１２で保持した多数のボール１５を介してスライド自在に係合させた金属製のスライドレール体ｒを備え、該スライドレール体ｒを介して引戸Ｄを開閉方向へ移動自在に吊設するスライドレール装置Ｒにおいて、前記スライドレール体ｒの前記アウターレール１０は、その一端又は両端に出し入れ可能にアジャストピース２０を嵌合し、該アジャストピース２０の出し入れ長さに応じて全長を伸長自在に構成する一方、引戸Ｄの吊設時は、全長が前記戸枠Ｗの全開口幅寸法と一致するアジャスト位置で前記アジャストピース２０を止めねじ２１のような固定手段で固定してなることを特徴とする。
【０００７】
請求項２に記載の発明は、請求項１に記載のスライドレール装置Ｒにおいて、たとえば以下に示す図示実施の形態のとおり、前記アジャストピース２０は、前記アウターレール１０の一端又は両端に嵌合したとき、そのアウターレール１０の端面１０ｃに当てて、それ以上の入り込みを規制する所定厚さの鍔部２０ｂを有することを特徴とする。
【発明の効果】
【０００８】
請求項１に記載の発明によれば、戸枠の天井側にスライドレール体を取り付けるとき、アウターレールの長さが、事前に採寸した戸枠の全開口幅寸法より短いために、スライドレール体の端部と戸枠間に隙間があくと、アジャストピースを、アウターレールの端部から全長が戸枠の全開口幅寸法と一致するアジャスト位置まで引き出し、スライドレール体を全開口幅寸法にアジャストさせて、そのアジャスト位置でアジャストピースを固定手段で固定する構成にすることにより、戸枠の全開口幅の採寸誤差に関係なく、常に戸枠との間に隙間なくスライドレール体を取り付けて引戸を吊設することができ、その結果、引戸周りの美的外観性を高め、見栄えを良くすることができる。
【０００９】
加えて、請求項２に記載の発明によれば、引戸の吊設時、使用するスライドレール体のアウターレールが、反対に戸枠の全開口幅寸法より長い場合であっても、アジャストピースをアウターレールから引き出して取り外し、これにより、取り外したアジャストピースの鍔部の厚さ分だけ、スライドレール体の全長を短めに微調整して戸枠の全開口幅寸法に正確に一致させることができる。
【発明を実施するための最良の形態】
【００１０】
以下、図面を参照しつつ、本発明の実施の形態について説明する。
【００１１】
図１〜図３に、本発明のスライドレール装置Ｒを引戸上に組み付ける引戸構造体を示す。スライドレール装置Ｒは、スライドレール体ｒと、それを引戸Ｄに取り付ける取付組立体ａを備えてなる。スライドレール体ｒは、アウターレール１０と、インナーレール１１と、リテーナ１２とを備えた構成になっている。
【００１２】
アウターレール１０は、帯状の金属プレートをプレスで成形し、平らな取付板部１０ａの両側縁を互いに向き合う内向きに湾曲させて、そこにボールガイド部１０ｂを形成し、取付板部１０ａに固定用ねじの貫通穴１３…を設けている。インナーレール１１は、アウターレール１０の長さに所定の開閉ストロークの距離を差し引いた長さサイズの帯状金属プレートを用いてプレスで成形し、中央で断面略コ形状に屈曲させた取付部１１ａの両側縁を互いに離れる外向きに湾曲させて、そこにボールガイド部１１ｂを形成してなる。リテーナ１２は、長尺な金属プレートを用いて曲げ成形し、平行なリテーナ本体部１４・１４に、コ状に屈曲させた多数の支持片部１４ａ…を連設し、各支持片部１４ａにそれぞれ保持穴を形成し、それら保持穴にそれぞれ金属製の小径ボール１５を嵌着して転動自在に保持してなる。
【００１３】
そして、リテーナ１２を、アウターレール１０に対し、保持したボール１５を左右のボールガイド部１０ｂに係合して嵌入し、次いで、インナーレール１１を、左右のボールガイド部１１ｂをボール１５に係合させてリテーナ１２内に嵌入し、リテーナ１２を介してアウターレール１０に相対的に摺動可能に嵌合し、１つのスライドレール体ｒを組み立てる。スライドレール体ｒは、インナーレール１１を摺動させると、ボール１５…が両レール１０・１１間で転動し、それらボール１５に押されてリテーナ１２がアウターレール１０に対して所定開閉ストロークの略１／２分だけ移動すると同時に、一方で、インナーレール１１がアウターレール１０に対し所定開閉ストロークだけ相対移動するように設定されている。
【００１４】
加えて、本発明のスライドレール装置Ｒは、スライドレール体ｒが、図４および図５に示すようにアウターレール１０の端部に着脱自在に差し込むレール長さ調整手段のアジャストピース２０と、アジャストピース２０の固定手段である止めねじ２１を備える構成になっている。
【００１５】
アジャストピース２０は、たとえば樹脂材料で一体成形し、ピース本体２０ａの片側周縁に鍔部２０ｂを形成している。ピース本体２０ａは、アウターレール１０の端部における内周形状に合わせて、レール端部に嵌合可能な駒形状に形成すると共に、厚さ方向にネジ穴２２を貫通させて成形してなる。鍔部２０ｂは、アウターレール１０の端面１０ｃに合わせて、ピース本体２０ａの周縁に沿って鍔状に張り出して形成している。また、鍔部２０ｂは、戸枠の全開口幅寸法の一般的な採寸誤差範囲を考慮し、その採寸誤差範囲に合わせて約１〜２ｍｍの厚さで形成している。
【００１６】
斯かる形状のアジャストピース２０は、鍔部２０ｂがアウターレール１０の端面１０ｃに当たる閉栓位置まで、図６に示すようにピース本体２０ａをアウターレール１０の両端に差し込み、この閉栓位置で止めねじ２１をネジ穴２２に捩じ込んでアウターレール１０の取付板部１０ａに締着する。すると、スライドレール体ｒの両端開口を塞ぐキャップとして機能する構成になっている。そして、このようにアジャストピース２０を閉栓位置までアウターレール１０の両端に差し込んだ状態において、スライドレール体ｒは、全長が最短長さになる。一方、アジャストピース２０は、止めねじ２１を緩めて締着状態を解除すると、アウターレール１０の端部内から図６中鎖線で示す突出位置まで引き出し可能であり、この引き出し長さ分だけスライドレール体ｒを伸長させる長さ調整手段として機能する構成になっている。
【００１７】
さて、上述した構成のスライドレール装置Ｒを用いて引戸Ｄを戸枠Ｗに吊設する場合は、図１〜図３に示すように、スライドレール体ｒを横向きに寝かせて配置し、インナーレール１１の取板部１１ａを、取付組立体ａを用いて引戸Ｄの上框面２４に固定する。しかる後、アウターレール１０の取付板部１０ａを、戸枠Ｗの天井側横枠材２５に固定してスライドレール体ｒを取り付ける。これにより、引戸Ｄは、戸枠Ｗに対しスライドレール装置Ｒを介して開口部Ｓの開閉方向へスライド自在に組み付けられる。
【００１８】
ところで、引戸Ｄの組付け時、戸枠Ｗの横枠材２５にスライドレール体ｒを取り付けたときに、アウターレール１０の長さが、事前に採寸した戸枠Ｗの全開口幅寸法より短いために、スライドレール体ｒの端部と戸枠Ｗの縦枠材２６間に隙間を生ずる場合がある。その場合、スライドレール装置Ｒでは、止めねじ２１を緩めてアジャストピース２０のアウターレール１０に対する締め付けを解除し、アジャストピース２０を、アウターレール１０の端部から、鍔部２０ｂが戸枠Ｗの縦枠材２６に隙間なく突き当たるアジャスト位置まで引き出し、スライドレール体ｒを戸枠Ｗの全開口幅寸法にアジャストさせる。それから、アジャストピース２０を、アジャスト位置で止めねじ２１を捩じ込んでアウターレール１０に改めて締着する。
【００１９】
他方、使用するスライドレール体ｒのアウターレール１０が、両端の閉栓位置にアジャストピース２０を差し込んで最短長さ状態にあっても、事前に採寸した戸枠Ｗの全開口幅寸法より長いときがある。引戸Ｄの組付けに際し、このようにスライドレール体ｒが戸枠Ｗの全開口幅寸法より長い場合、スライドレール装置Ｒでは、止めねじ２１を緩めてから、アジャストピース２０をアウターレール１０から引き出して取り外す。これにより、取り外したアジャストピース２０の鍔部２０ｂの厚さ分だけ、スライドレール体ｒの全長を短めに調節し、戸枠Ｗの全開口幅寸法に正確に合わせる。この長さ調整時、戸枠Ｗの全開口幅寸法の採寸誤差に応じて、アウターレール１０の両端のアジャストピース２０のいずれか一方又は双方を選択的に取り外し、スライドレール体ｒの長さを二段階に微調整することができる。
【図面の簡単な説明】
【００２０】
【図１】本発明によるスライドレール装置を備えた引戸構造体の一部を示す斜視図である。
【図２】引戸構造体の分解斜視図である。
【図３】引戸構造体の端面図である。
【図４】スライドレール装置に備えたスライドレール体の端部側構成を示す分解斜視図である。
【図５】図４の反対側からスライドレール体の端部側構成を見て示す分解斜視図である。
【図６】スライドレール体のアジャストピースの取付状態を説明する平面図である。
【図７】従来のスライドレール装置を備えた引戸構造体の一部を示す斜視図である。
【符号の説明】
【００２１】
Ｄ          引戸
Ｒ          スライドレール装置
Ｗ          戸枠
ｒ          スライドレール体
１０        アウターレール
１１        インナーレール
１２        リテーナ
１５        ボール
２０        アジャストピース
２１        止めねじ（固定手段）
【図１】
2005146717.tif 000003
【図２】
2005146717.tif 000004
【図３】
2005146717.tif 000005
【図４】
2005146717.tif 000006
【図５】
2005146717.tif 000007
【図６】
2005146717.tif 000008
【図７】
2005146717.tif 000009